(57)【要約】      （修正有）【課題】物体色、光色を含むあらゆる色彩情報を色数値だけでなく視感色の検証をも可能にすることを特徴としたバーコードによる視感色検証システムを提供する。【解決手段】１）物体色等がもつ色情報数値（ＨＶ／Ｃ、ｘｙＹ、Ｌａｂ、ＸＹＺ、λ、刺戟純度ρ、ＲＧＢ、ＣＭＹ等）をバーコード作成器機を用いてバーコード化し、２）そのバーコード化したパターンをバーコードリーダー、タブレット端末（スマホ、携帯パソコン、測色計）等にもたらされたバーコード読みとり装置によって読み取り、該数値と整合性を有するデジタル色標準をたとえばスマホモニタに視感色情報として発色表示することによって、物体色がもつ視感色情報を迅速容易に検証可能にした。【選択図】図１
2018136288.tif 000002
【特許請求の範囲】
【請求項１】
物体等の色検証において、光色や物体色の色数値（ＨＶ／Ｃ、ｘｙＹ、Ｌａｂ、ＸＹＺ、λ、刺戟純度ρ、ＲＧＢ、ＣＭＹ等）をバーコード化し、そのバーコードパターンをスマホ・タブレット端末、バーコードリーダー、測色機能をもたらしたバーコードリーダー、バーコードリーダー機能をもたらした測色装置等のバーコード読みとり装置によってこれを読み取り、色数値とともに視感色情報をモニタ上にデジタル標準色として表示することによって、色検証はじめ、測定物の検査、分類、選別、特定化、真贋検査、鑑識等を色管理を軸に迅速容易に可能にしたことを特徴とするバーコードによる視感色検証システム。
【発明の詳細な説明】
【発明の詳細な説明】
【技術分野】
【０００１】  本発明は、物体色、光色を含むあらゆる色彩情報を色数値だけでなく視感色の検証をも可能にすることを特徴としたバーコードによる視感色検証システムに関わる。
【背景技術】
【０００２】  視感による色検証法は、同一出願人によるコンピュータカラーシステム（特許第３２２５２９７号）、さらに直近の特願２０１４−２６７３１２記載のスマホでＣＩＥ  ＸＹＺ１９３１による色計算をおこない、その色計算値相当のデジタル色標準をモニタに適正に発色させる完全等色法の開発により、はじめて色数値の厳密視感検証化を可能にしている。
【先行技術文献】
【０００３】  上記したコンピュータカラーシステム（特許第３２２５２９７号）、特願２０１４−２６７３１２があり、後者においてはスマホによる色計算結果とその発色するデジタル色標準とに高い整合性を有し、数値が合えば色が合い、色が合えば数値も合う、デジタル色標準とのその厳密な整合性は、反射色はＪＩＳ標準色票と、透過色はフィルターのカタログの測色データと、また光色は市販カラーメーターの色温度数値とよく一致し、視感色もデジタル標準と多くの場合にこれまで不能の完全等色が可能になることが証拠物件により証明されている。
【発明の概要】
【発明が解決しようとする課題】
【０００４】  しかしながら、従来法（特願２０１４−２６７３１２）はあらゆるＣＩＥ数値の厳密な視感色検証が可能になるとはいえ、ＨＶ／Ｃ、ｘ，ｙ，Ｙ、Ｌ＊ａ＊，ｂ＊等の数値を各モード別にいちいち一字ずつ入力し、測色、再現にもやっかいな等色操作やアップダウンのボタンやスライダーのマニュアル操作が必要で手間がかかり、入力ミスが避けられないといった問題があり、ワンタッチで迅速に確認し検証するということはできなかった。【０００５】  したがって、従来法では、測色に手間取り、数値の視覚化も、色伝達、色管理の検証もままならず、製品色の分類、選別、仕分けも、特別な選択眼と多大な労力を要し、とくに微妙な色管理ほど効率よく迅速で円滑な生産管理、販売管理等が困難であった。
その一例を挙げると、マグロの荷揚げではシッポや身を切って色が検査されるが、熟練工によってのみの感覚判断によるので、効率のよい客観判定や分類はおこなえない。  トマト、イチゴ、レモン、メロンなど農産物でも同じであり、いずれも品質管理が困難であり、製品では製品色の、印刷ではインクの調整、刷り色のＣＭＹ濃度の調整、点検、校正、特色の検査の判定ほか、また真贋の判定、鑑識の世界においても厳密な客観判定はむずかしく、迅速容易、正確なな色管理、業務管理ができない状態にあった。
【課題を解決するための手段】
【０００６】  そこで本発明は以下に述べる方法によって上記問題を解決し、誰にでもほとんどワンタッチ操作で、困難なく容易迅速に目的達成を可能にして色のトラブルを防止する。
すなわち、物体等の色検証において、光色や物体色の色数値（ＨＶ／Ｃ、ｘｙＹ、Ｌａｂ、ＸＹＺ、λ、刺戟純度ρ、ＲＧＢ、ＣＭＹ等）をバーコード化し、そのバーコードパターンをスマホ・タブレット端末、バーコードリーダー、測色機能をもたらしたバーコードリーダー、バーコードリーダー機能をもたらした測色装置等のバーコード読みとり装置によってこれを読み取り、色数値とともに視感色情報をモニタ上にデジタル標準色として表示することによって、色検証はじめ測定物の検査、分類、選別、特定化、真贋検査、鑑識等を色管理を軸に迅速容易に可能にしている。
【発明の効果】
【０００７】  本発明では、スマホ、またはバーコード入出力装置等によって、これまでの容易迅速におこなえなかった上記したような問題点の根本解決が可能になる。
（色情報検証法としての画期的特徴）
上記したように、これまでのネット販売やカタログ印刷による広告される各種商品の色情報は、商品写真であらわされるが、必ずしも正しい色が表示できないうえに、撮影時の照明光の色質により、またカタログを見るときの照明、また、個人の色覚によって色が異なってくるという問題があって、それがトラブルの原因となっていた。【０００８】  また、たとえ正しい色数値を示しても、それを確認する手段がほとんどなかったその理由は、たとえ光電測色計で測定しても視覚的確認はＨＶ／Ｃで示されるマンセル色票でおこなうしか手段がないが、色票は視感色約７５０万のなかの２〜３０００色しかない。つまりは、完全等色できる色は色票数に限定されるために、厳密色数値が示されても現実には検証ができない、というのが現状であった。【０００９】  そこで同一出願人はデジタルによる色標準をスマホにより発色させるデジタル色標準システムが開発され、これによれば、モニタ発色総数は１６７７万色となり、視感色７５０万色を十分に包括して、視感色７５０万色すべてに完全等色可能なデジタル色標準ができ、したがって、この方法（特願２０１４−２６７３１２）によれば完全等色による厳密色検証が可能になるとはいえ、冒頭でのべたように、目的達成には面倒なボタンやスライダー操作に手間取りまた誤入力も多く、確実、迅速容易な操作ができないという問題があった。【００１０】  また、トマト、トロ、牛肉の例のように、迅速な測色も、またその選別、特定化も容易ではなく、実際的には実用性が乏しい状態にあったそれらの問題が、いずれもワンタッチ操作で色測定、色表示、選別、特定化、ほか製品色管理から、真贋判定、鑑識や考古学、発掘、古美術の色検証等、あらゆる分野における色検証が容易に、またこれまで熟達者にしかできなかった困難な仕事が誰にでも容易な操作で達成可能になるという、これまでもっとも数値化と検証化が遅れていた色彩情報管理においてまさに色情報革命と呼べる効果をもたらし、色彩文化と産業の発展に大きく寄与可能になる。
付け加えれば、これまで厳密検証ができなかった色彩も、本発明によってはじめて物体の大きさや重さと同様、これまで不能のコンマ以下の厳密色検証が特別な経験や訓練なしに誰にでも容易迅速、正確にワンタッチ感覚で実現し、色管理世界の根本改革が可能ということにほかならない。
【図面の簡単な説明】
【００１１】
【図１】本発明のバーコードによる視感色検証システムの説明図（図に代えた画像を含む。）
【図２】得られるバーコードの一例（図に代えた画像を含む。）
【図３】ＨＶ／Ｃ表示にしたバーコードの一例（図に代えた画像を含む。）
【図４】モニタ表示の一実施例（図に代えた画像の赤いデジタル色１３を無彩色に変換。）
【発明を実施するための形態】
【００１２】  １）バーコード制作
そこでまず、各種色情報用バーコード制作の問題は、ＪＡＮ、ＣＯＲＤ３９、同１２８、ＮＷ−７等も使用可能であるが、一般によく使われるＱＲコードはそのコード作成用器機によってＨＶ／Ｃ、ｘｙＹ、Ｌａｂ、ＸＹＺ、λ、刺戟純度ρ、ＲＧＢ、ＣＭＹ等の色数値別に視感色約７５０万色すべてについて無数のバーコードパターンが制作可能になることによって解決される。添付する色数値はネットではＲＧＢ、印刷ではＨＶ／Ｃ、あるいはＬａｂでもよい。
【００１３】  一般のネットや印刷カタログ商品の色を正確に知らせるためには、商品の色を測色し，たとえばＲＧＢ、ＨＶ／Ｃ値を見出してバコード作成器機でそのＲＧＢ、ＨＶ／Ｃ値を入力してバーコードパターンを制作し、これをネット広告や印刷カタログに添付すれば、ユーザーは上記スマホ、バーコードリーダでＱＲコードを読みとれば正しい視感色情報がモニタにデジタル色標準として正しく表示される。ユーザーはワンタッチでその商品の厳密な数値と視感色情報を迅速容易に知ることが可能になり、現状において避けられない無数の色トラブルが防止できる。
【００１４】  ２）バーコードの読み取り
そのバーコード読み取りは、スマホ端末、専用のバーコードリーダー等の読みとり装置（以下、バーコードリーダー）によってその色情報を読み取って、該色数値に整合性よく対応するデジタル色標準色をモニタ発色させることによって問題が解決される。
従来法（特願２０１４−２６７３１２）のアプリでは、アプリのｏｐに撮影機能をもたらすことによって図２のバーコードを撮影すればリアルタイムで図４のようにスマホ画面にその正しい視感デジタル色とＣＩＥ色計算値が表示され、Ｄ６５照明下でＤ６５光に順応した標準観測者と同様の色覚において、厳密なバーコード色を眼にし、そのデータを送信し、また印刷して添付することも可能になる。
【００１５】  ３）測色と選別、分類、特定化機能
その際、測色機能をもたらしたバーコードリーダー、スマホ等を用いて、上記検査体にあてがってボタンを押すと、色数値が測定されバーコード化されるとともに、あらかじめ作成され入力されたデータベースにより、たとえばトマト、イチゴ等の農産物等の場合は、その生育状態の色検査、収穫時期の判定、またマグロでは、大トロ、中トロ、赤身の分類、選択、あるいは牛肉の部位、品質等の選別、特定化等が可能になり、素人でも名人なみの判定データが迅速容易にワンタッチで得ることができ、その視感色データの送信、印刷も可能になる。
【００１６】  第１図は本発明のバーコードによる視感色検証システムの概略説明図である。
図中１は、バーコードとするための、ＲＧＢ、ＨＶ／Ｃ、ｘｙＹ、Ｌａｂ、ＸＹＺ、λ、刺戟純度ρ、ＲＧＢ、ＣＭＹ等の色数値であり、色票と参照するにはＨＶ／Ｃ、透過色はｘｙＹで検証できる
２はバーコード作成装置でありアプリに色数値を入力すればバーコード化できる。
３はその得らたバーコードパターンの一例である。図２のようにネットではＲＧＢ値、図３のように印刷物にはＨＶ／Ｃ、あるいは両方を表示してもよい。
４はネット広告あるいは印刷されたカタログに掲載されたバーコードパターンである。
５はバーコード読み取り装置を示す。すなわち、スマホにより、バーコードリーダー、測色機能付きバーコードリーダー、バーコードリーダー付き分光、光電測色計等によってバーコードを読みとりが可能になり、図示せざる機能によりそのプリントアウトも可能になる。
【００１７】  ６はスマホ、バーコードリーダー、分光測色計等のモニタ表示部であり、視感色はそのデジタル色標準発色部７にデジタル色標準として、上記色数値では１０Ｒ  ６Ｖ／１２Ｃの赤が発色し、８に色数値が表示される。９はオプション表示部として、たとえばマグロの原産地、大トロ、中トロ，赤身、等級等が表示でき、プリントアウトしたシールをマグロに添付可能になる。
１０のデータベース部には、目的に応じて各種のデータを内蔵させ、たとえば名人芸の色判別データにより標準値その色度範囲を決め、標準値との偏差を見出せば、上記大トロ、中トロ、赤身、等級等の判定結果はきわめて高度な判定結果となる。またユーザーもその色情報から購入品の品質の良否、等級等が容易に判定可能になる。
真贋、鑑識の判別においても同様、本物の色数値と検査体の色度ｘｙ、明度Ｙ値の相違、および視覚色情報が真贋の判別に大きく役立つことになる。
色材、印刷では目的色のための補正値検出により、測色と同時的に調整値が判明し、調色操作が迅速容易、確実におこなうことが可能になる。
【産業上の利用可能性】
【００１８】  １）発明実施の容易さ
本発明は、バーコードをスマホ等により読み取って簡単にデジタル色標準として知ることができるので、従来できなかった厳密視感色検証があらゆる分野で容易に実現し、しかも７５０万色の厳密色検証がほぼワンタッチ操作で可能になるので、測色と表色が大きく改善され、生産性の向上が約束され、したがって産業上の利用可能性はきわめて大きい。【００１９】  ２）色トラブルの問題の解消
地球上で、もっともさかんに物品販売がおこなわれているネットで、また印刷広告はじめ、あらゆる分野の流通においてこれまで防止できなかった色トラブルがこのバーコード色検証法により容易に防止できるその効果、貢献はメーカーにとってまたユーザーにとっても計り知れない朗報となるであろう。【００２０】  ３）色管理を軸にした自動分類、等級検査、真贋判定、鑑識等
たとえば、きわめて微妙な化粧品の色調整をおこなう場合も、肌色を測定し目的の肌色にするための個々に異なるであろう化粧品の種類をデータベースと参照し、好ましい化粧品の特定とシュミレーションが数値と視感色との関連においてこれまでにない厳密さと迅速さで可能になる。
医療関係でも、肌色の検証、また血液色、尿色などの液体の検証もフィルターなどの透過色と同様に、厳密に数値化と視感検証化ができ、バーコードで厳密色検証が可能になり、グラスファイバーを使って体内各所の色もバーコード化しすることにより色情報の取り扱いがより容易、確実に可能になる。
また、歯科における義歯色についても、隣の歯色を部分的に測定しバーコード化すれば、義歯色サンプル番号の検出が容易となり、義歯とは感じさせない色のバラツキのない義歯制作を容易に可能にするなど、その産業上の利用可能性は無限に大きい。
【符号の説明】
【００２１】１  測定された色数値
２  バーコード作成
３  得られたバーコード
４  ネット表示、印刷表示されたバーコード
５  バーコードの読み取り
６  モニタ表示部
７  ＲＧＢ発色部
８  数値表示部
９  オプション表示部
１０  データベース部
１１  ＲＧＢ表示部
１２  ＨＶ／Ｃ表示部
１３  モニタの発色部
１４  ＲＧＢ表示部
１５  ＨＶ／Ｃ表示部
１６  ｘ，ｙ，ｚ表示部
１７  Ｌａｂ表示部
【図１】
2018136288.tif 000003
【図２】
2018136288.tif 000004
【図３】
2018136288.tif 000005
【図４】
2018136288.tif 000006